(57)【要約】【課題】  本発明では、１個の螺子で棒状部材に回転不能に固定でき、固定作業が容易となるフック金具の提供を目的とする。【解決手段】  前記課題を解決するための手段は、シートＳ１が被せられる構築物２における棒状部材４と棒状部材４に螺着される螺子５の頭部５ａとの間で挟持可能な固定部６と、基端が固定部６に接続されるフック部７と、固定部６から棒状部材４側へ向けて突出する突出部８とを備えることを特徴とする。【選択図】  図１
2022001033.tif 000002
【特許請求の範囲】
【請求項１】
シートが被せられる構築物における棒状部材と前記棒状部材に螺着される螺子の頭部との間で挟持可能な固定部と、
基端が前記固定部に接続されるフック部と、
前記固定部から前記棒状部材側へ向けて突出する突出部とを備えた
ことを特徴とするフック金具。
【請求項２】
前記フック部は、前記固定部から延びる直線部と、前記直線部から折り返して前記直線部を挟んで前記固定部と離間するように傾斜する傾斜部とを有する
ことを特徴とする請求項１に記載のフック金具。
【請求項３】
前記フック部は、前記固定部から反棒状部材側に向けて傾斜する
ことを特徴とする請求項１又は２に記載のフック金具。
【請求項４】
前記フック部の先端は、前記フック部の先端以外の部位又は前記固定部に対向している
ことを特徴とする請求項１から３のいずれか一項に記載のフック金具。
【請求項５】
前記突出部は、前記棒状部材に対して点接触する
ことを特徴とする請求項１から４のいずれか一項に記載のフック金具。
【請求項６】
前記固定部はＵ字状であって、
前記フック部は前記固定部の一端から延長されて形成されており、
前記突出部は前記固定部の他端を折り曲げて形成されている
ことを特徴とする請求項１から５のいずれか一項に記載のフック金具。
【請求項７】
前記構築物は、前記構築物の内外を連通する開口部を有し、
前記シートは、前記構築物の前記開口部以外の部分に展張される硬質シートと、前記開口部を閉鎖可能な軟質シートとを有し、
前記棒状部材は、前記開口部の一端に沿うように設置されて、前記硬質シートを取付け可能な第一フレームと、前記軟質シートを定着可能な第二フレームと、前記第一フレーム上に被せられ前記硬質シートを前記第一フレームとともに挟持する押え材とを有するシート定着部材であって、
前記螺子は、前記押え材を貫通して前記第一フレームに螺合されて前記硬質シートを前記第一フレームに取付けるものであって、
前記フック部は、前記軟質シートのバタつきを防止するバンドの一端を保持する
ことを特徴とする請求項１から６のいずれか一項に記載のフック金具。
【発明の詳細な説明】
【技術分野】
【０００１】
この発明は、フック金具に関する。
【背景技術】
【０００２】
フック金具としては、シートが被せられる構築物、例えば、ビニールハウスや温室、簡易型の倉庫等を構成する棒状部材に固定されて利用されるものがある。
【０００３】
上記構築物は、例えば、奥行き方向に並べて配置される複数のアーチパイプと、アーチパイプ間に奥行き方向に沿って配置されてアーチパイプに連結される複数の母屋パイプと、アーチパイプ間に架け渡され開口幅が底部の幅より狭い溝を有する複数のシート定着部材と、シート定着部材の溝に弾性部材を介して定着されるシートとを備えて構成されている。
【０００４】
そして、従来のフック金具としては、シート定着部材の溝に挿入されて自身の弾発力によってシート定着部材に固定されるバネ部と、バネ部に連結されてシート定着部材の溝から突出するフック部とを備え、フック部にシートのバタつきを抑えるバンドの一端が引掛けられて利用されるものがある（特許文献１参照）。
【先行技術文献】
【特許文献】
【０００５】
【特許文献１】特開２０１９−１０６９０２号公報
【発明の概要】
【発明が解決しようとする課題】
【０００６】
ところが、シート定着部材の溝には、シートやシートを定着させる弾性部材の他にも、防虫ネットや防虫ネットを定着させる弾性部材等が挿入されているため、フック金具のバネ部をシート定着部材の溝に挿入しづらい場合がある。
【０００７】
また、従来のフック金具は、シート定着部材の溝にバネ部を挿入することで、構築物に固定されている。そのため、母屋パイプや、構築物の妻面に設けられてアーチパイプを支持する支柱パイプなどのシート定着部材以外の棒状部材にはフック金具を固定することができなかった。
【０００８】
そこで、フック金具を構築物における任意の棒状部材に固定できるようにする方法として、フック金具を棒状部材に螺子止めすることが考えられる。しかしながら、フック金具を棒状部材に１個の螺子で固定する場合、フック金具に引掛けられたバンドが、風に煽られたシートにより引っ張られるなどしてフック金具に引張り荷重が作用すると、フック金具が螺子の外周に沿って回転し、螺子が緩んでしまう恐れがある。
【０００９】
そのため、螺子が緩まないようにフック金具を棒状部材に螺子止めするためには、フック金具を２個以上の螺子で固定する必要があり、フック金具の固定作業が非常に面倒となる。
【００１０】
そこで、本発明では、１個の螺子で棒状部材に回転不能に固定でき、固定作業が容易となるフック金具の提供を目的とする。
【課題を解決するための手段】
【００１１】
上記の目的を達成させるため、本発明のフック金具は、シートが被せられる構築物における棒状部材と前記棒状部材に螺着される螺子の頭部との間で挟持可能な固定部と、基端が前記固定部に接続されるフック部と、前記固定部から前記棒状部材側へ向けて突出する突出部とを備えることを特徴とする。この構成によると、突出部が、フック金具が螺子の外周に沿って回転するのを防止するストッパとして機能する。
【００１２】
また、前記フック部は、前記固定部から延びる直線部と、前記直線部から折り返して前記直線部を挟んで前記固定部と離間するように傾斜する傾斜部とを備えていてもよい。この構成によると、フック金具に作用する回転モーメントを小さくできるため、フック金具に作用する力も小さくなり、フック金具の耐久性が向上する。
【００１３】
また、前記フック部は、前記固定部から反棒状部材側に向けて傾斜していてもよい。この構成によると、フック金具の固定部を棒状部材側に当接させた状態でも、フック部が棒状部材から離間するので、フック金具を棒状部材に螺子で固定する際に、フック部を持ち手にしやすくなる。
【００１４】
また、前記フック部の先端は、前記フック部の他の部位又は前記固定部に対向していてもよい。この構成によると、フック金具の上から遮光シートなどの被覆シートを被せたとしても、フック部の先端で被覆シートを傷つける恐れがない。
【００１５】
また、前記突出部は、前記棒状部材に対して点接触するとしてもよい。この構成によると、突出部が棒状部材側へ押し付けられる際に、棒状部材に噛みこみやすくなるため、フック金具が回転するのをより効果的に防止できる。
【００１６】
また、前記固定部はＵ字状であって、前記フック部は前記固定部の一端から延長されて形成されており、前記突出部は前記固定部の他端を折り曲げて形成されていてもよい。この構成によると、フック金具を一本の線材で作ることができるので、製造時における組み立て作業の手間を削減できる。
【００１７】
また、前記構築物は、前記構築物の内外を連通する開口部を有し、前記シートは、前記構築物の前記開口部以外の部分に展張される硬質シートと、前記開口部を閉鎖可能な軟質シートとを有し、前記棒状部材は、前記開口部の一端に沿うように設置されて、前記硬質シートを取付け可能な第一フレームと、前記軟質シートを定着可能な第二フレームと、前記第一フレーム上に被せられ前記硬質シートを前記第一フレームとともに挟持する押え材とを有するシート定着部材であって、前記螺子は、前記押え材を貫通して前記第一フレームに螺合されて前記硬質シートを前記第一フレームに取付けるものであって、前記フック部は、前記軟質シートのバタつきを防止するバンドの一端を保持するとしてもよい。この構成によると、シートをシート定着部材に取付ける螺子を利用して、フック金具をシート定着部材に固定することができるため、使用する螺子の数を削減できる。
【発明の効果】
【００１８】
本発明のフック金具によれば、１個の螺子で棒状部材に回転不能に固定できるため、棒状部材に固定する作業の作業性が向上する。
【図面の簡単な説明】
【００１９】
【図１】本実施の形態のフック金具をシート定着部材に固定した状態を示す拡大斜視図である。
【図２】本実施の形態のビニールハウスの一部拡大斜視図である。
【図３】本実施の形態のフック金具が固定されたシート定着部材の横断面図である。
【図４】本実施の形態のフック金具を示す斜視図である。
【図５】本実施の形態のフック金具の平面図であって、フック金具に作用する回転モーメントの回転中心から力の作用点までの距離を表す図である。
【発明を実施するための形態】
【００２０】
以下に、図面を参照しながら本実施の形態について説明する。いくつかの図面を通して付された同じ符号は同じ部品を示す。
【００２１】
本実施の形態のフック金具１は、図１に示すように、農作物を栽培するビニールハウス２の骨組３に固定される棒状部材としてのシート定着部材４とシート定着部材４に螺着されてシートＳ１を骨組３に展張する螺子５の頭部５ａとの間で挟持可能な固定部６と、基端が固定部６に接続されるフック部７と、固定部６からシート定着部材４側へ向けて突出する突出部８とを備える。
【００２２】
以下、詳細に説明すると、本実施の形態の構築物は、ビニールハウス２とされている。ビニールハウス２は、図２に示すように、奥行き方向に並べて配置される複数のアーチパイプ１０と、アーチパイプ１０，１０間に奥行き方向に沿って配置されてアーチパイプ１０の内側に連結される複数の母屋パイプ（図示せず）と、ビニールハウス２の各妻面側に配置されるアーチパイプ１０を支持する支柱パイプ１１とを有する骨組３と、アーチパイプ１０，１０間に架け渡される複数のシート定着部材４を介して骨組３に展張されるシートＳ１とを備えて蒲鉾型に形成される。なお、母屋パイプは、図２中ではシート定着部材４の背面側に設けてあるので記載を省略している。
【００２３】
また、本実施の形態のビニールハウス２は、図２に示すように、複数のビニールハウス２が横並びに設置される連棟型とされている。隣り合うビニールハウス２，２間には、ビニールハウス２の奥行き方向に沿って延びる樋フレーム１２が設けられており、ビニールハウス２，２間に降り注ぐ雨水を回収してビニールハウス２の妻面側に排出できるようになっている。樋フレーム１２の各端部には、それぞれ、樋フレーム１２の延長方向に沿って延びるフレーム部１２ａが設けられている。なお、図２では、図が煩雑とならないように、図中左側のビニールハウス２については、アーチパイプ１０のみを示している。
【００２４】
また、図２に示すように、本実施の形態のビニールハウス２の屋根面には、奥行き方向に沿って形成されてビニールハウス２の内外を連通する換気用の開口部Ｏと、開口部Ｏを閉鎖する閉鎖シートＳ２と、当該閉鎖シートＳ２を開閉する開閉装置が設けられている。開口部Ｏは、シート定着部材４と、当該シート定着部材４よりも下方側（樋フレーム１２側）でアーチパイプ１０，１０間に架け渡される定着フレーム１３との間に形成されている。なお、本実施の形態では、開口部Ｏは、ビニールハウス２の屋根面に設けられているが、妻面や側面に設けられていてもよい。
【００２５】
本実施の形態のシート定着部材４は、図１，図３に示すように、開口部Ｏの上辺に沿ってアーチパイプ１０，１０間に架け渡されて設置されており、図中上方側のシートＳ１の下端と図中下方側の閉鎖シートＳ２の上端である一端を骨組３に定着するものである。
【００２６】
具体的には、シート定着部材４は、図１，図３に示すように、アーチパイプ１０の上方側に配置されてシートＳ１を取付け可能な第一フレーム４０と、アーチパイプ１０の下方側に配置されて閉鎖シートＳ２の一端を取付け可能な第二フレーム４１と、第一フレーム４０と第二フレーム４１を接続する水平片４２と、第一フレーム４０上に被せられシートＳ１を前記第一フレーム４０とともに挟持する押え材４３とを備える。
【００２７】
第一フレーム４０は、図３に示すように、アーチパイプ１０の上部に当接する断面Ｌ字状のＬ字片４０Ａと、Ｌ字片４０Ａの上端に連結されてシートＳ１を定着可能なシート定着部４０Ｂとを有する。シート定着部４０Ｂは、Ｌ字片４０Ａの上端に連結される底片４０ａと、底片４０ａの各端部から垂直に起立する一対の垂直片４０ｂ，４０ｂと、各垂直片４０ｂの上端から互いに反対方向に突出するシート受け片４０ｃとを備え、各垂直片４０ｂの互いに対向する内側面には、螺子溝４０ｄが形成されている。
【００２８】
次に、第二フレーム４１は、図３に示すように、アーチパイプ１０に当接する底部４１ａと、底部４１ａの両端から斜め内側に向けて起立する一対の側壁部４１ｂ，４１ｂとを備えて、内側に開口幅が底部の幅より狭い溝を形成している。
【００２９】
そして、図３に示すように、互いに対向する第一フレーム４０の図中左側の垂直片４０ｂの中間部と、第二フレーム４１の図中右側の側壁部４１ｂの上端とが、水平片４２によって連結されている。
【００３０】
続いて、シート定着部材４にシートＳ１及び閉鎖シートＳ２を取付ける方法について詳細に説明する。まず、シートＳ１をシート定着部材４の第一フレーム４０に取付ける場合、図３に示すように、第一フレーム４０のシート受け片４０ｃにシートＳ１を載置し、シート受け片４０ｃに断面コ字状の押え材４３を被せ、押え材４３の上から螺子５を押え材４３とシートＳ１を貫通させて螺子溝４０ｄに螺合する。すると、シートＳ１は、押え材４３とシート受け片４０ｃとの間で挟持されるので、第一フレーム４０に取付けられる。なお、詳しくは後述するが、この押え材４３の螺子５によるシート定着部材４への締結の際に、後述するフック金具１を押え材４３へ固定するようにしている。
【００３１】
ここで、本実施の形態の押え材４３は、シート定着部材４の第一フレーム４０に沿って延びる長尺の部材であって、図３に示すように、シート受け片４０ｃにシートＳ１を介して対向する平板部４３ａと、平板部４３ａの両端に設けられ互いに対向する一対の押え部４３ｂ，４３ｂと、平板部４３ａの下部の各押え部４３ｂ，４３ｂ間から垂直に起立する突部４３ｃとを備えている。そのため、シートＳ１を第一フレーム４０に取付ける際に、シートＳ１は押え部４３ｂ，４３ｂと突部４３ｃによって押さえつけられて、垂直片４０ｂ，４０ｂ間及び垂直片４０ｂ，４０ｂの外側へ押し付けられる。これにより、シートＳ１に張力が付与されるため、シートＳ１にシワがよらず、シートＳ１を張った状態で展張できる。
【００３２】
また、図１，図３に示すように、押え材４３の平板部４３ａの上部には、平板部４３ａの中央部で突出し押え材４３の延長方向に沿って延びる凸部４３ｄと、凸部４３ｄの中央に延長方向に沿って形成されて螺子５の挿入をガイドするガイド溝４３ｅが設けられている。そのため、螺子５の先端をガイド溝４３ｅに挿入し、螺子５をねじ込んでいくと、螺子５は、先端がずれることなくねじ込まれる。したがって、螺子５を押え材４３を貫通して螺子溝４０ｄに容易に螺合することができる。
【００３３】
また、このようにシートＳ１が第一フレーム４０に取付けられた状態では、結露などによりシートＳ１のビニールハウス２の内側に水滴が生じた場合、この水滴は、シートＳ１の上方側から下方側に向けてシートＳ１を伝って流れて行き、図３中右側の垂直片４０ｂを伝って、Ｌ字片４０Ａに回収される。そのため、ビニールハウス２内に水滴が落ちてしまうのを防止できる。
【００３４】
次に、閉鎖シートＳ２をシート定着部材４の第二フレーム４１に取付ける場合、図３に示すように、第二フレーム４１の溝に閉鎖シートＳ２の一端を挿入した状態で、溝に波型の金属製のばねからなる長尺の弾性部材４４を嵌め込む。すると、閉鎖シートＳ２は、弾性部材４４の弾発力によって第二フレーム４１に取付けられる。なお、本実施の形態では、弾性部材４４として波型の金属製ばねを利用しているが、例えば、ゴムやコイルスプリング等の弾性体を利用してもよい。
【００３５】
なお、図示しないが、本実施の形態のシート定着部材４は、シート定着部材４をアーチパイプ１０との間で挟持する連結金具によって、アーチパイプ１０に固定されている。ただし、シート定着部材４をアーチパイプ１０に固定する方法は特に限定されず、例えば、Ｌ字片４０Ａをビスで、アーチパイプ１０に直接固定してもよい。
【００３６】
戻って、開閉装置は、図２に示すように、一端がシート定着部材４の第二フレーム４１に取付けられた閉鎖シートＳ２の他端に装着される軸１４と、軸１４の一端に連結されて軸１４を回転駆動可能な駆動機（図示せず）とを備えている。開閉装置は、当該駆動機によって軸１４を回転駆動させると軸１４が閉鎖シートＳ２の巻取り又は繰り出しをしながらアーチパイプ１０に沿って移動して、閉鎖シートＳ２を開閉できる。なお、開口部Ｏには図示しないネットが展張されており、通気性を確保しつつ、害虫や害鳥がビニールハウス２内に侵入することを防止している。
【００３７】
また、詳細には説明しないが、樋フレーム１２のフレーム部１２ａと定着フレーム１３との間には、固定シートＳ３が展張されている。具体的には、樋フレーム１２のフレーム部１２ａと定着フレーム１３は、それぞれ、開口幅が底部の幅より狭い溝（符示せず）を有しており、これらの溝に固定シートＳ３の各端部を挿入した状態で、波型の金属ばねからなる長尺の弾性部材（図示せず）を挿入することで、樋フレーム１２のフレーム部１２ａと定着フレーム１３との間に、固定シートＳ３が展張されている。
【００３８】
なお、本実施の形態では、シートＳ１には、ポリエステルフィルム、フッ素フィルムなどの硬質シートが利用されている。他方、閉鎖シートＳ２及び固定シートＳ３には、塩化ビニルフィルム、ＰＥＴフィルム等のポリオレフィン系フィルムなどの軟質シートが利用されている。ただし、シートには、軟質シートが利用されてもよいし、反対に固定シートには、硬質シートが利用されてもよい。
【００３９】
続いて、本実施の形態のフック金具１について詳細に説明する。前述したように、本実施の形態のフック金具１は、図１，図２に示すように、開口部Ｏの上方側に配置されるシート定着部材４に固定されており、閉鎖シートＳ２のバタつきを防止するバンド１５の一端を保持する。
【００４０】
具体的には、本実施の形態のフック金具１は、図４及び図５に示すように、一本の線材を折り曲げ成形して形成されており、Ｕ字状の固定部６と、固定部６の一端から延長されて形成されるフック部７と、固定部６の他端を折り曲げて形成される突出部８とを備えている。
【００４１】
固定部６は、Ｕ字状であって、螺子５の軸（符示せず）の挿入を許容しつつ、螺子５の頭部５ａの通過は許容しない内側の幅で形成されている。そして、フック部７を持ち手にしつつ、固定部６をシート定着部材４の第一フレーム４０上に被せられた押え材４３の凸部４３ｄ上に載せた状態で、螺子５を固定部６の内側に挿入しつつ押え材４３を貫通させて第一フレーム４０の螺子溝４０ｄに螺合させると、固定部６は、螺子５の頭部５ａと押え材４３との間に挟持されて、押え材４３に固定される。
【００４２】
突出部８は、固定部６の他端を押え材４３側に向けて折り曲げて形成されており、突出部８は、固定部６から押え材４３側へ向けて突出する。また、固定部６から突出する突出部８の長さは、押え材４３の凸部４３ｄの平板部４３ａからの突出長さよりも若干長くなるように設定されている。
【００４３】
そのため、固定部６を押え材４３の凸部４３ｄ上に載せると、突出部８が押え材４３の平板部４３ａに当接し、固定部６の反突出部側が凸部４３ｄに当接して、固定部６は、突出部８側が高くなるように傾いた状態で押え材４３に載置される。この状態で、螺子５をねじ込んで固定部６を締め付けると固定部６の全体が凸部４３ｄに密着する。すると、突出部８の長さは凸部４３ｄの突出長さより長いので、固定部６と突出部８との接続部分が撓んで突出部８を押え材４３へ強く押し付ける。その結果、突出部８が押え材４３に押圧されて押え材４３の平板部４３ａに噛み込む。なお、固定部６全体が凸部４３ｄに当接せずとも、突出部８には螺子５の第一フレーム４０へのねじ込みによって荷重を受けて平板部４３ａに噛み込むことになる。
【００４４】
このように、突出部８が押え材４３の平板部４３ａに噛み込むと、突出部８は、フック金具１が螺子５の外周に沿って回転するのを防止するストッパとして機能する。
【００４５】
また、本実施の形態では、突出部８の端面は線材を横に切断してできる平面状とされている。そのため、固定部６を押え材４３の凸部４３ｄ上に載せたとき、固定部６は、突出部８と固定部６の反突出部側とが押え材４３に当接する斜めの姿勢で押え材４３に載置されるため、突出部８の固定部６側の縁が押え材４３の平板部４３ａに当接して点接触することになるので、突出部８が平板部４３ａに噛み込みやすい。
【００４６】
また、本実施の形態では、図１，図３に示すように、フック金具１の突出部８の外周が、押え材４３の凸部４３ｄの側面に当接しているため、フック金具１は、凸部４３ｄ側へ回転できないようになっている。
【００４７】
なお、本実施の形態のフック金具１は、固定部６を押え材４３の凸部４３ｄ上に配置した状態でシート定着部材４に固定されているため、突出部８の長さは、凸部４３ｄの突出長さよりも若干長くなるように設定されているが、フック金具１を平坦な場所に固定する場合には、突出部８は、固定部６から少しでも突出していればよい。
【００４８】
戻って、フック部７は、図４に示すように、固定部６の一端から延びる直線部７ａと、直線部７ａの先端から折り返して直線部７ａを挟んで固定部６と離間するように傾斜する傾斜部７ｂと、傾斜部７ｂの反直線部側端から延びて端部が固定部６に近接した位置で対向する先端部７ｃを有し、直線部７ａと傾斜部７ｂとを接続する折曲部７ｄにバンド１５を引掛けられるようになっている。また、直線部７ａと傾斜部７ｂとを接続する折曲部７ｄは、反固定部側に向けて湾曲している。
【００４９】
そして、フック金具１は、図１，図３に示すように、フック部７の折曲部７ｄを開口部Ｏ側に向けた状態で、シート定着部材４の第一フレーム４０に固定されている。
【００５０】
また、図３に示すように、本実施の形態では、フック部７は、固定部６から反シート定着部材側に向けて傾斜している。このようにすると、固定部６を押え材４３に当接させた状態でも、フック部７が押え材４３から離間する。したがって、作業者は、フック金具１をねじ止めする作業を行う際にフック部７を持ってフック金具１のずれを防止しつつ、螺子５を第一フレーム４０にねじ込む作業を行えばよい。よって、フック金具１の固定作業における作業性が向上する。
【００５１】
また、詳細には説明しないが、図２に示すように、樋フレーム１２のフレーム部１２ａのアーチパイプ１０の延長方向でフック金具１と対向する位置には、バンド１５の他端を保持可能なバンド保持金具１６が固定されている。
【００５２】
そして、バンド１５は、一端をシート定着部材４に固定されたフック金具１のフック部７における折曲部７ｄに引掛け、他端を樋フレーム１２のフレーム部１２ａに固定されたバンド保持金具１６に保持させることで、シート定着部材４とバンド保持金具１６の間に架け渡される。このようにすると、開口部Ｏを閉塞する閉鎖シートＳ２の上方にバンド１５が配置されるため、閉鎖シートＳ２が風に煽られたとしても、バンド１５によって閉鎖シートＳ２のバタつきが防止される。
【００５３】
また、本実施の形態では、図２に示すように、フック金具１とバンド保持金具１６は、それぞれ、シート定着部材４と樋フレーム１２のフレーム部１２ａに所定の間隔で固定されており、閉鎖シートＳ２全体のバタつきを防止している。
【００５４】
また、閉鎖シートＳ２がバタつくことによってバンド１５が反ビニールハウス側に引っ張られて、フック金具１に引張り荷重が作用する場合、フック金具１には、螺子５を軸とする回転モーメントが生じるが、前述したように、フック金具１は、押え材４３に対して回転不能に固定されている。そのため、回転モーメントが生じても、フック金具１は回転せず、フック金具１をシート定着部材４に固定する螺子５が緩む心配がない。
【００５５】
さらに、本実施の形態では、図１に示すように、バンド１５の一端がフック部７の直線部７ａと傾斜部７ｂとを接続する折曲部７ｄに引掛けられており、折曲部７ｄはビニールハウス２の開口部Ｏ側、すなわちフック金具１に作用する力の方向を向いている。図５に示すように、折曲部７ｄは、固定部６からまっすぐに延びる直線部７ａと直線部７ａから折り返して直線部７ａを挟んで固定部６と離間するように傾斜する傾斜部７ｂとの間に形成されている。そのため、フック金具１の回転中心である螺子５の中心からバンド１５から受ける力の作用点である折曲部７ｄまでの距離Ｌ１は、フック部７をＵ字状に形成したり、図中破線で示すように、フック部７を固定部６の一端から固定部６から離間する方向に向けて斜めに延びるようにしたりする場合の螺子５の中心から折曲部７ｄまでの距離Ｌ２に比べて短くなる。
【００５６】
ここで、回転モーメントは、作用する力の大きさと、回転中心から力の作用点までの距離の積で求められるところ、前述したように、本実施の形態では、回転中心である螺子５の中心から力の作用点である折曲部７ｄまでの距離Ｌ１が短いため、フック金具１に作用する回転モーメントを小さくできる。このように、フック金具１にかかるモーメントを小さくできるので、フック金具１の変形や劣化を防止できる。
【００５７】
なお、本実施の形態では、樋フレーム１２のフレーム部１２ａには、バンド保持金具１６が、フレーム部１２ａの溝に嵌合されて固定されているが、バンド保持金具１６に代えて、フック金具１が螺子で固定されてもよい。
【００５８】
前述したように、本実施の形態のフック金具１は、シートが被せられる構築物としてのビニールハウス２における棒状部材としてのシート定着部材４とシート定着部材４に螺着される螺子５の頭部５ａとの間で挟持可能な固定部６と、基端が固定部６に接続されるフック部７と、固定部６からシート定着部材４側へ向けて突出する突出部８とを備えてなる。
【００５９】
この構成によると、フック金具１の固定時に、突出部８が螺子５による荷重を受けてシート定着部材４側へ強く押し付けられる。すると、突出部８は、シート定着部材４の押え材４３に噛み込んで、フック金具１が螺子５の外周に沿って回転するのを防止するストッパとして機能するため、フック金具１はシート定着部材４の押え材４３に対して回転不能に固定される。したがって、フック金具１は、荷重を受けても回転することがないので、フック金具１を固定する螺子５が緩む恐れがない。
【００６０】
また、このように、本実施の形態によれば、フック金具１を１個の螺子５でシート定着部材４に回転不能に固定できるため、フック金具１を２個以上の螺子５で固定する場合に比べて、フック金具１をシート定着部材４に固定する作業の作業性が向上する。また、使用する螺子５の数も削減できる。
【００６１】
また、本実施の形態では、突出部８は、シート定着部材４の押え材４３に対して点接触するようになっている。この構成によると、突出部８がシート定着部材４の押え材４３に押し付けられる際に、突出部８がシート定着部材４に対して一点で接触することになるので、突出部８がシート定着部材４に面接触する場合に比べて、突出部８がシート定着部材４の押え材により噛みこみやすくなり、フック金具１が回転するのをより効果的に防止できる。なお、本実施の形態では、突出部８の端面は線材を横に切断した平面状に形成されているが、これは一例であって、突出部８の先端は、シート定着部材４の押え材４３に点接触する形状となっていればよく、例えば、線材を斜めに切断してできる形状や釘の先端の形状のように尖っていてもよい。
【００６２】
また、本実施の形態のフック金具１では、フック部７は、固定部６から延びる直線部７ａと、直線部７ａから折り返して直線部７ａを挟んで固定部６と離間するように傾斜する傾斜部７ｂとを有してなる。
【００６３】
この構成によると、直線部７ａと傾斜部７ｂとを接続する折曲部７ｄがフック金具１に作用する力の方向を向くようにフック金具１をシート定着部材４に固定しつつ、当該折曲部７ｄにバンド１５を引掛けるようにすれば、回転中心である螺子５の中心からバンド１５から受ける力の作用点である折曲部７ｄまでの距離Ｌ１が短くなるため、フック金具１に作用する回転モーメントを小さくできる。したがって、フック金具１にかかるモーメントを小さくできるので、フック金具１の劣化や変形を防止できる。
【００６４】
また、本実施の形態のフック金具１では、フック部７は、固定部６から反シート定着部材側に向けて傾斜している。この構成によると、フック金具１の固定部６をシート定着部材４側に当接させた状態でも、フック部７がシート定着部材４から離間する。したがって、作業者は、フック金具１をねじ止めする作業を行う際にフック部７を持ってフック金具１のずれを防止しつつ、螺子５を第一フレーム４０にねじ込む作業を行えばよい。よって、フック金具１の固定作業における作業性が向上する。
【００６５】
また、本実施の形態のフック金具１では、フック部７の先端は、固定部６に対向している。この構成によると、フック部７の先端が固定部６側を向いているので、フック金具１の上からビニールハウス２に遮光シートなどの被覆シートを被せる場合に、フック部７の先端で被覆シートを傷つける恐れがない。なお、本実施の形態では、フック部７の先端は、固定部６に対向しているが、フック部７の先端は、フック部７の先端以外の部位に対向するようにしてもよい。このようにしても、フック金具１の上に被覆シートを被せた場合に、フック部７の先端で被覆シートを傷つける恐れがない。
【００６６】
ただし、被覆シートを被せない場合など、フック部７の先端によって被覆シートが傷つけられる恐れがない場合には、フック部７の先端は、フック部７の先端以外の部位又は固定部６に対向していなくてもよい。
【００６７】
また、本実施の形態のフック金具１は、固定部６はＵ字状であって、フック部７は固定部６の一端から延長されて形成されており、突出部８は固定部６の他端を折り曲げて形成されている。
【００６８】
この構成によると、フック金具１を一本の線材で作ることができるので、製造時における組み立て作業の手間を削減できる。ただし、フック金具１は複数の部品を溶接するなどして製造されてもよい。
【００６９】
また、本実施の形態のフック金具１は、ビニールハウス２の開口部Ｏの一端に沿うように設置されて、ビニールハウス２の開口部Ｏ以外の部分に展張される硬質シートからなるシートＳ１を取付け可能な第一フレーム４０と、開口部Ｏを閉鎖可能な軟質シートからなる閉鎖シートＳ２を定着可能な第二フレーム４１と、第一フレーム４０上に被せられシートＳ１を第一フレーム４０とともに挟持する押え材４３とを有するシート定着部材４に対して、押え材４３を貫通して第一フレーム４０に螺合されてシートＳ１を第一フレーム４０に取付ける螺子５によって固定されており、フック部７は、閉鎖シートＳ２のバタつきを防止するバンド１５の一端を保持している。
【００７０】
この構成によると、シートＳ１をシート定着部材４に取付ける螺子５を利用して、フック金具１をシート定着部材４に固定することができるため、使用する螺子５の数を削減できる。さらに、シートＳ１をシート定着部材４に取付ける際に、フック金具１をシート定着部材４に固定する作業も併せて行うことができるため、作業時間を短縮できる。
【００７１】
また、本実施の形態では、図３に示すように、第一フレーム４０の方が第二フレーム４１よりもアーチパイプ１０からの距離が遠い。そのため、本実施の形態のように、フック金具１が第二フレーム４１に固定されると、第一フレーム４０側に固定される場合に比べて、一端がフック金具１に保持されるバンド１５の取付け角度が大きくなるので、バンド１５が開口部Ｏを開閉する閉鎖シートＳ２の動作の妨げとならない。
【００７２】
なお、本実施の形態では、フック金具１は、ビニールハウス２の骨組３にシートＳ１を展張するシート定着部材４に固定されているが、フック金具１の固定場所はシート定着部材４には限定されず、例えば、ビニールハウス２を構成する他の棒状部材である母屋パイプや支柱パイプ１１に固定されてもよい。
【００７３】
また、本実施の形態では、シートＳ１が被せられる構築物として、ビニールハウス２を例に説明したが、構築物は、温室や簡易型の倉庫等であってもよく、シートＳ１が展張される構築物であれば、ビニールハウス２には限定されない。
【００７４】
また、本実施の形態では、フック金具１は、閉鎖シートＳ２のバタつきを防止するバンド１５の一端を保持するのに利用されているが、フック金具１の用途はバンド１５には限定されず、フック金具１に引っ掛けるものは任意に決定できる。
【００７５】
以上、本発明の好ましい実施の形態を詳細に説明したが、特許請求の範囲から逸脱なく改造、変形及び変更ができるのは当然である。
【符号の説明】
【００７６】
１・・・フック金具、２・・・ビニールハウス（構築物）、４・・・シート定着部材（棒状部材）、５・・・螺子、５ａ・・・頭部、６・・・固定部、７・・・フック部、７ａ・・・直線部、７ｂ・・・傾斜部、８・・・突出部、１５・・・バンド、４０・・・第一フレーム、４１・・・第二フレーム、Ｏ・・・開口部、Ｓ１・・・シート（硬質シート）、Ｓ２・・・閉鎖シート（軟質シート）
【図１】
2022001033.tif 000003
【図２】
2022001033.tif 000004
【図３】
2022001033.tif 000005
【図４】
2022001033.tif 000006
【図５】
2022001033.tif 000007